(57)【要約】【課題】プリンタに簡易な操作で装着されることによって、標準仕様として規定する最小幅の用紙よりも小幅かつ長尺の特殊用紙も安定した状態で給紙する。【解決手段】本体部２と掛合部３と基準ガイド立壁部４とから構成され、最小幅用紙スタック空間部１１Ｓを構成した給紙部１２に対して、スライドガイド部９に掛合部３を掛け合わせて装着される。基準ガイド立壁部４とスライドガイド部材８或いは相対する基準ガイド立壁部間に最小幅用紙サイズよりもさらに小幅で長尺の特殊用紙１４をスタックする特殊小幅用紙スタック空間部１５を構成する。【選択図】  図５
2005272150.tif 000002
【特許請求の範囲】
【請求項１】
スライドガイド部材をスライドガイド部に沿ってスライド操作することによって相対する給紙機構のガイド側面との間に用紙サイズを特定する用紙スタック空間部を構成するプリンタの給紙部に、少なくとも上記ガイド側面から所定の間隔を以って配置された最外側用紙送りローラを臨ませる位置に上記スライドガイド部材を設定して最小幅用紙サイズをスタックする最小幅用紙スタック空間部を構成した状態で着脱される給紙アダプタにおいて、
折り曲げが可能な板状の合成樹脂板や軽金属板を基材とし、
上記最小幅用紙スタック空間部とほぼ等しい幅寸法を有し、第１側縁が上記最小幅用紙スタック空間部を構成する位置に設定された上記スライドガイド部材に突き当てられるとともに相対する第２側縁が上記ガイド側面に突き当てられる平板状の本体部と、
上記本体部の長さ方向の第１端部側を幅方向に山折りすることによってフック状に形成され、上記スライドガイド部に掛け合わされる掛合部と、
それぞれ上記本体部の上記第２側縁から上記給紙機構に設けられた用紙先端検出センサと上記ガイド側面との対向間隔よりも短い長さを有して長さ方向に離間して形成された一対の幅方向の第１切り込み及び第２切り込みの先端間を谷折りすることによって形成された上記ガイド側面と対峙する長さ方向の立壁部からなり、上記スライドガイド部材と共同して上記本体部上に上記最小幅用紙サイズよりも小幅の特殊小幅用紙スタック空間部を構成する基準ガイド立壁部と、
上記本体部の上記掛合部と対向する長さ方向の第２端部側で、上記第１側縁から上記最外側用紙送りローラを上記特殊小幅用紙スタック空間部に臨ませ或いは上記最外側用紙送りローラの上流側に位置して切り欠かれたガイド切欠き部とから構成され、
上記特殊小幅用紙スタック空間部に上記最小幅用紙サイズよりも小幅でかつ長尺の特殊用紙をスタックして連続給紙することにより、所定の印刷パターンを印刷させるようにすることを特徴とする給紙アダプタ。
【請求項２】
スライドガイド部材をスライドガイド部に沿ってスライド操作することによって相対する給紙機構のガイド側面との間に用紙サイズを特定する用紙スタック空間部を構成するプリンタの給紙部に着脱され、最小幅用紙サイズよりも小幅でかつ長尺の特殊用紙に所定の印刷パターンを印刷させるようにする給紙アダプタにおいて、
折り曲げが可能な板状の合成樹脂板や軽金属板を基材とし、
上記特殊用紙の長さ寸法よりも大きな長さ寸法を有する用紙サイズ印刷を規定する位置に設定された上記スライドガイド部材と上記ガイド側面とによって構成される上記用紙スタック空間部とほぼ等しい幅寸法を有し、第１側縁が上記スライドガイド部材に突き当てられるとともに相対する第２側縁が上記ガイド側面に突き当てられる平板状の本体部と、
上記本体部の長さ方向の第１端部側を幅方向に山折りすることによってフック状に形成され、上記スライドガイド部に掛け合わされる掛合部と、
それぞれ上記本体部の上記第２側縁から上記給紙機構に設けられた用紙先端検出センサと上記ガイド側面との対向間隔よりも短い長さを有して長さ方向に離間して形成された一対の幅方向の第１切り込み及び第２切り込みの先端間を谷折りすることによって形成された上記ガイド側面と対峙する長さ方向の立壁部からなる第１基準ガイド立壁部と、
上記本体部の上記第１側縁から所定位置に形成された長さ方向の第３切り込みと、この第３切り込みの両端から幅方向に向かって互いに平行に形成されそれぞれの先端位置が上記第１基準ガイド立壁部に対して上記特殊用紙の幅寸法とほぼ等しい長さを有する第４切り込み及び第５切り込みとからなるコ字状の切り込みに対して上記第４切り込み及び第５切り込みの先端間を谷折りすることによって、上記第１基準ガイド立壁部と対峙して上記最外側用紙送りローラの上流側に位置する上記本体部上に上記最小幅用紙サイズよりも小幅でかつ特殊小幅用紙スタック空間部を構成する長さ方向の立壁部からなる第２基準ガイド立壁部とから構成され、
上記特殊小幅用紙スタック空間部に上記最小幅用紙サイズよりも小幅でかつ長尺の特殊用紙をスタックして連続給紙することにより、所定の印刷パターンを印刷させるようにすることを特徴とする給紙アダプタ。
【請求項３】
スライドガイド部材をスライドガイド部に沿ってスライド操作することによって相対する給紙機構のガイド側面との間に用紙サイズを特定する用紙スタック空間部を構成するプリンタの給紙部に着脱され、最小幅用紙サイズよりも小幅でかつ長尺の特殊用紙に所定の印刷パターンを印刷させるようにする給紙アダプタにおいて、
折り曲げが可能な板状の合成樹脂板や軽金属板を基材とし、
上記特殊用紙の長さ寸法よりも大きな長さ寸法を有する用紙サイズ印刷を規定する位置に設定された上記スライドガイド部材と上記ガイド側面とによって構成される上記用紙スタック空間部とほぼ等しい幅寸法を有し、第１側縁が上記スライドガイド部材に突き当てられるとともに相対する第２側縁が上記ガイド側面に突き当てられる平板状の本体部と、
上記本体部の長さ方向の第１端部側を幅方向に山折りすることによってフック状に形成され、上記スライドガイド部に掛け合わされる掛合部と、
それぞれ上記本体部の上記第２側縁から上記給紙機構に設けられた用紙先端検出センサと上記ガイド側面との対向間隔よりも短い長さを有して長さ方向に離間して形成された一対の幅方向の第１切り込み及び第２切り込みの先端間を谷折りすることにより形成され、上記ガイド側面と対峙する長さ方向の立壁部からなる第１基準ガイド立壁部と、
上記本体部の第１側縁と上記第１基準ガイド立壁部との間に位置して長さ方向に離間して互いに平行に形成された幅方向の一対の第１ガイドスリット及び第２ガイドスリットと
が形成された本体部材と、
折り曲げが可能な板状の合成樹脂板や軽金属板を基材とし、
長さ寸法が上記本体部材の上記第１ガイドスリットと上記第２ガイドスリットとの間隔よりも長尺とされ、長さ方向の第１端部と第２端部とがこれら第１ガイドスリットと第２ガイドスリットとに差し込まれて上記本体部材に組み合わされる矩形状の基部と、
上記基部の第１側縁から上記第１ガイドスリットと上記第２ガイドスリットとの間隔とほぼ等しい長さの第１谷折り線を介して一体に突出形成されるとともに、長さ方向の少なくとも一方側が上記基部よりも長尺とされ、上記第１谷折り線から谷折りすることによって上記第１基準ガイド立壁部と対向して上記本体部材の上記最外側用紙送りローラの上流側に位置する上記本体部上に特殊小幅用紙スタック空間部を構成する第２基準ガイド立壁部と、
上記基部の第１側縁から上記第１ガイドスリットと上記第２ガイドスリットとの間隔とほぼ等しい長さの第２谷折り線を介して一体に突出形成され、上記第２谷折り線から谷折りすることによって立ち上げられて長さ方向の両側縁が上記第１ガイドスリットと上記第２ガイドスリットの開口縁にそれぞれ突き当たることによって振れ止め作用を奏する振れ止め立壁部と
が形成されたアジャスタ部材とを備え、
上記本体部材に対して上記アジャスタ部材を上記第１ガイドスリットと上記第２ガイドスリットに沿って幅方向に調整移動することによって、上記特殊小幅用紙スタック空間部の幅を調整自在としたことを特徴とする給紙アダプタ。
【発明の詳細な説明】
【技術分野】
【０００１】
本発明は、プリンタの給紙部に着脱されて規定される最小幅用紙サイズよりもさらに小幅の特殊用紙を連続給紙する給紙アダプタに関する。
【背景技術】
【０００２】
プリンタには、給紙部に、多数枚の用紙をスタックするとともに両側縁を保持して安定した姿勢で印刷部へと給紙する給紙ガイド構造が備えられている。給紙ガイド構造は、一般にスライドガイド部に沿ってスライド操作されるスライドガイド部材が備えられ、このスライドガイド部材を印刷する用紙のサイズに合わせた指標位置までスライド操作することによって相対するプリンタ本体側のガイド側面との間に当該用紙サイズの幅を有する用紙スタック空間部が構成されるようにする。
【０００３】
プリンタは、所定サイズに設定された用紙スタック空間部に多数枚の用紙をスタックした後に印刷実行を指示することによって、給紙機構に設けた用紙送りローラによってスタックした用紙を１枚ずつ印刷部へと給紙する。プリンタは、スライドガイド部材とガイド側面とにより用紙の両側縁を保持して用紙スタック空間部から安定した姿勢で印刷部へと送り出すことで所定の印刷が精密かつ効率的に行われるようにする（特許文献１参照）。
【０００４】
【特許文献１】特開平８−８１０９２号公報
【発明の開示】
【発明が解決しようとする課題】
【０００５】
ところで、プリンタは、例えばパーソナルコンピュータと接続されてもっぱらパーソナルユースとして用いられる小型で廉価なものが普及しており、様々な印刷ソフトウェアの提供に伴って手軽なパーソナル仕様の印刷システムを構成する。プリンタは、Ａ４サイズ等の用紙ばかりでなくはがきサイズさらには名刺サイズまでも規定用紙として用紙スタック空間部にスタックして印刷を可能としている。プリンタは、上述したように給紙部にスライドガイド部材をスライド操作して規定の位置に設定することによって用紙サイズを規定する用紙スタック空間部を構成する機構を備えているが、規定外の用紙に印刷を行う場合にはいわゆる手差しによる印刷が行われる。
【０００６】
プリンタにおいては、手差し印刷が、当該用紙を１枚ずつ給紙部にセットした後に印刷指示を行って印刷を行うことから効率が極めて悪くなり比較的多くの枚数を印刷するには不向きである。また、プリンタにおいては、小幅の用紙に手差し印刷を行う場合には、いわゆる腰が弱いために当該用紙が傾いた状態で給紙されやすく、精密な印刷を行うことができないといった問題がある。
【０００７】
小幅用紙の印刷例としては、例えば図１４に示す箸袋１００の印刷がある。箸袋１００は、店名や電話番号、営業品目や支店名、標語や適宜の図柄等の印刷パターン１０１が印刷され、図柄やカラーに工夫を凝らすことによって顧客に対してお店を印象づけることを可能とするものである。ところで、箸袋１００は、一般に３７ｍｍ、４３ｍｍ及び４８ｍｍの３種類、最大でも５０ｍｍ程度の幅のものが用いられている。箸袋１００は、使い捨てであることから比較的大量に印刷する必要がある。箸袋１００の印刷は、名刺サイズよりもさらに小幅で長尺である領域に印刷パターン１０１ａ〜１０１ｃを高精度に印刷しなければならない。
【０００８】
箸袋１００の印刷においては、例えば汎用のプリンタを用いて最小幅の名刺サイズに設定して印刷を行った場合に、適宜の工夫によって横ずれをある程度抑制して給紙を行うことができてもプリンタ側の長さ領域の規制によって全長に亘っての印刷を行うことができない。箸袋１００の印刷においては、上述したように名刺サイズよりも小幅で長尺なある程度の量の用紙を精密に位置決めして印刷部へと給紙かる必要がある。しかしながら、箸袋１００の印刷においては、上述した手軽な既存のプリンタとパーソナルコンピュータとによる印刷システムによって適宜の各印刷パターン１０１を手軽にカラー印刷することができなかった。
【０００９】
汎用プリンタにおいては、上述したようにスライドガイド部に沿ってスライド操作されるスライドガイド部材の位置によって規定する所定サイズの用紙をスタック空間部にスタックすることにより、当該用紙が安定した状態で給紙が行われるように構成される。しかしながら、汎用プリンタにおいては、箸袋１００のように幅寸法や長さ寸法を異にする特殊サイズの用紙に印刷を行う場合には、いわゆる手差し操作によって１枚ずつ印刷を行わなければならなかった。
【００１０】
したがって、本発明は、汎用のプリンタに簡易な操作で装着されることによって標準仕様として規定する最小幅の用紙よりも小幅かつ長尺な特殊用紙を安定した状態で印刷部へ連続して給紙することを可能とする廉価な給紙アダプタを提供することを目的とする。
【課題を解決するための手段】
【００１１】
上述した目的を達成する本発明にかかる給紙アダプタは、スライドガイド部材をスライドガイド部に沿ってスライド操作することによって相対する給紙機構のガイド側面との間に用紙サイズを特定する用紙スタック空間部を構成するプリンタの給紙部に、少なくともガイド側面から所定の間隔を以って配置された最外側用紙送りローラを臨ませる位置にスライドガイド部材を設定して最小幅用紙サイズをスタックする最小幅用紙スタック空間部を構成した状態で着脱されて、スライドガイド部材とガイド側面とによって規定される最小幅用紙サイズよりも小幅かつ長尺の特殊用紙を連続給紙して所定の印刷パターンを印刷することを可能とさせる。
【００１２】
給紙アダプタは、簡易に折り曲げることが可能な板状の合成樹脂板や軽金属板を基材として形成され、本体部と、掛合部と、基準ガイド立壁部と、ガイド切欠き部とから構成される。給紙アダプタは、本体部が、最小幅用紙スタック空間部とほぼ等しい幅寸法を有し、第１側縁が最小幅用紙スタック空間部を構成する位置に設定されたスライドガイド部材に突き当てられるとともに相対する第２側縁がガイド側面に突き当てられる平板状に形成される。給紙アダプタは、掛合部が、本体部の長さ方向の第１端部側を幅方向に山折りすることによってフック状に形成され、スライドガイド部に掛け合わされる。給紙アダプタは、基準ガイド立壁部が、それぞれ本体部の第２側縁から給紙機構に設けられた用紙先端検出センサとガイド側面との対向間隔よりも短い長さを有して長さ方向に離間して形成された一対の幅方向の第１切り込み及び第２切り込みの先端間を谷折りすることによって形成されたガイド側面と対峙する長さ方向の立壁部からなる。給紙アダプタは、基準ガイド立壁部が、スライドガイド部材と共同して本体部上に最小幅用紙サイズよりも小幅の特殊小幅用紙スタック空間部を構成する。給紙アダプタは、ガイド切欠き部が、本体部の掛合部と対向する長さ方向の第２端部側で、第１側縁から最外側用紙送りローラを特殊小幅用紙スタック空間部に臨ませ或いは最外側用紙送りローラの上流側に位置して切り欠かれて形成される。
【００１３】
給紙アダプタにおいては、最小幅用紙スタック空間部を構成した給紙部に対して、本体部を最小幅用紙スタック空間部に位置させるようにして掛合部がスライドガイド部に掛け合わされて装着される。給紙アダプタにおいては、基準ガイド立壁部が最小幅用紙スタック空間部を区切り、スライドガイド部材との間の本体部上に最小幅用紙サイズよりもさらに小幅の特殊小幅用紙スタック空間部を構成する。給紙アダプタにおいては、この状態でガイド切欠き部を介して特殊小幅用紙スタック空間部内に最外側用紙送りローラを臨ませ、或いはガイド切欠き部が最外側用紙送りローラの上流側に対向して位置される。
【００１４】
給紙アダプタにおいては、プリンタの標準仕様として規定する最小幅の用紙、例えばはがきサイズや名刺サイズよりもさらに小幅の特殊用紙、例えば箸袋に店名や電話番号、営業品目や支店名、標語や適宜の図柄等の印刷パターンを印刷する場合でも、箸袋用紙を連続給紙することを可能とする。給紙アダプタにおいては、特殊小幅用紙スタック空間部内にスタックされた多数枚の箸袋用紙が、スライドガイド部材と基準ガイド立壁部とによって両側縁を保持されて安定した状態で印刷部へと連続して送り込まれるようにする。
【００１５】
また、上述した目的を達成する本発明にかかる給紙アダプタは、簡易に折り曲げることが可能な板状の合成樹脂板や軽金属板を基材として形成され、本体部と、掛合部と、第１基準ガイド立壁部と、第２基準ガイド立壁部とから構成される。給紙アダプタは、第１基準ガイド立壁部と第２基準ガイド立壁部とによって構成した特殊小幅用紙スタック空間部に最小幅用紙サイズよりも小幅でかつ長尺の特殊用紙をスタックして連続給紙して所定の印刷パターンを印刷することを可能とさせる。給紙アダプタは、スライドガイド部材を最小幅用紙スタック空間部よりも大きな用紙サイズの位置に設定した状態で特殊小幅用紙スタック空間部を構成することにより、最小幅用紙サイズよりも長尺の特殊用紙に対して長さ方向の全域に所定の印刷パターンが印刷されるようにする。
【００１６】
給紙アダプタは、本体部が、特殊用紙の長さ寸法よりも大きな長さ寸法を有する用紙サイズ印刷を規定する位置に設定されたスライドガイド部材とガイド側面とによって構成される用紙スタック空間部とほぼ等しい幅寸法を有し、第１側縁がスライドガイド部材に突き当てられるとともに相対する第２側縁が上記ガイド側面に突き当てられる平板状からなる。給紙アダプタは、掛合部が、本体部の長さ方向の第１端部側を幅方向に山折りすることによってフック状に形成され、スライドガイド部に掛け合わされる。給紙アダプタは、第１基準ガイド立壁部が、それぞれ本体部の第２側縁から給紙機構に設けられた用紙先端検出センサとガイド側面との対向間隔よりも短い長さを有して長さ方向に離間して形成された一対の幅方向の第１切り込み及び第２切り込みの先端間を谷折りして形成される、ガイド側面と対峙する長さ方向の立壁部からなる。給紙アダプタは、第２基準ガイド立壁部が、本体部の第１側縁から所定位置に形成された長さ方向の第３切り込みと、この第３切り込みの両端から幅方向に向かって互いに平行に形成されそれぞれの先端位置が第１基準ガイド立壁部に対して上記特殊用紙の幅寸法とほぼ等しい長さを有する第４切り込み及び第５切り込みとからなるコ字状の切り込みによって形成される。給紙アダプタは、第２基準ガイド立壁部が、コ字状の切り込みに対して第４切り込み及び第５切り込みの先端間を谷折りすることによって、第１基準ガイド立壁部と対峙して最外側用紙送りローラの上流側に位置する本体部上に最小幅用紙サイズよりも小幅でかつ特殊小幅用紙スタック空間部を構成する長さ方向の立壁部からなる。
【００１７】
さらに、上述した目的を達成する本発明にかかる給紙アダプタは、それぞれ簡易に折り曲げることが可能な板状の合成樹脂板や軽金属板を基材として形成された本体部材とアジャスタ部材とから構成される。給紙アダプタは、本体部材が本体部と掛合部と第１基準ガイド立壁部と第１ガイドスリット及び第２ガイドスリットとから構成され、アジャスタ部材が基部と第２基準ガイド立壁部と振れ止め立壁部とから構成される。給紙アダプタは、スライドガイド部材を最小幅用紙スタック空間部よりも大きな用紙サイズの位置に設定した状態で、第１基準ガイド立壁部と第２基準ガイド立壁部とによって特殊小幅用紙スタック空間部を構成し、この特殊小幅用紙スタック空間部内に最小幅用紙サイズよりも小幅でかつ長尺の特殊用紙をスタックして連続給紙してこの特殊用紙に対して長さ方向の全域に所定の印刷パターンを印刷することを可能とさせる。給紙アダプタは、本体部材に対してアジャスタ部材を第１ガイドスリットと第２ガイドスリットに沿って幅方向に調整移動することによって、特殊小幅用紙スタック空間部の幅を調整自在として幅仕様を異にする特殊用紙を使用することを可能とする。
【００１８】
給紙アダプタは、本体部材の本体部が、特殊用紙の長さ寸法よりも大きな長さ寸法を有する用紙サイズ印刷を規定する位置に設定されたスライドガイド部材とガイド側面とによって構成される用紙スタック空間部とほぼ等しい幅寸法を有し、第１側縁がスライドガイド部材に突き当てられるとともに相対する第２側縁がガイド側面に突き当てられる平板状に形成される。給紙アダプタは、本体部材の掛合部が、本体部の長さ方向の第１端部側を幅方向に山折りすることによってフック状に形成され、スライドガイド部に掛け合わされる。給紙アダプタは、本体部材の第１基準ガイド立壁部が、それぞれ本体部の第２側縁から給紙機構に設けられた用紙先端検出センサとガイド側面との対向間隔よりも短い長さを有して長さ方向に離間して形成された一対の幅方向の第１切り込み及び第２切り込みの先端間を谷折して形成されるガイド側面と対峙する長さ方向の立壁部からなる。給紙アダプタは、本体部材の第１ガイドスリットと第２ガイドスリットとが、本体部の第１側縁と第１基準ガイド立壁部との間に位置して長さ方向に離間して互いに平行に形成された幅方向の一対のスリットからなる。
【００１９】
給紙アダプタは、アジャスタ部材の基部が、長さ寸法を本体部材の第１ガイドスリットと第２ガイドスリットとの間隔よりもやや長尺とされた矩形に形成され、長さ方向の第１端部と第２端部とがこれら第１ガイドスリットと第２ガイドスリットとに差し込まれて本体部材に組み合わされる。給紙アダプタは、アジャスタ部材の第２基準ガイド立壁部が、本体部の第１側縁から第１ガイドスリットと第２ガイドスリットとの間隔とほぼ等しい長さの第１谷折り線を介して一体に突出形成されるとともに、長さ方向の少なくとも一方側が本体部よりも長尺とされ、第１谷折り線から谷折りすることによって第１基準ガイド立壁部と対向して本体部材の上記最外側用紙送りローラの上流側に位置する本体部上に特殊小幅用紙スタック空間部を構成する。給紙アダプタは、アジャスタ部材の振れ止め立壁部が、本体部の第１側縁から第１ガイドスリットと第２ガイドスリットとの間隔とほぼ等しい長さの第２谷折り線を介して一体に突出形成され、第２谷折り線から谷折りすることによって立ち上げられて長さ方向の両側縁が第１ガイドスリットと第２ガイドスリットの開口縁に突き当たることによって振れ止めの作用を奏する。
【発明の効果】
【００２０】
本発明にかかる給紙アダプタによれば、既存の汎用プリンタの給紙部に着脱することによって給紙部に特殊小幅用紙スタック空間部を構成し、プリンタの標準仕様として規定する用紙サイズよりも小幅かつ長尺のサイズを有する多数枚の特殊用紙をスタックし、各特殊用紙の両側縁を保持した安定な姿勢で印刷部へと連続給紙する。したがって、給紙アダプタによれば、プリンタの規定外用紙サイズの特殊用紙に対して、所定の印刷パターンを精密かつ効率的に印刷することを可能とする。給紙アダプタによれば、パーソナルコンピュータと汎用プリンタ等を接続した簡易な印刷システムを利用して、多数種でかつ比較的少量の箸袋等の特殊な印刷を低廉かつ効率的に行うことを可能とする。
【発明を実施するための最良の形態】
【００２１】
本発明の実施の形態として示した給紙アダプタ１は、基材としてユーザが治具等を用いることなく簡易に折り曲げることが可能であるとともに折り曲げた形態が保持される塩化ビニール樹脂等の適宜の合成樹脂板やアルミ材等の軽金属板が用いられる。給紙アダプタ１は、図１及び図２に示すように、それぞれ詳細を後述する本体部２と、掛合部３と、基準ガイド立壁部４と、ガイド切欠き部５の各部から構成される。給紙アダプタ１は、詳細を後述するように基材に上述した各部を展開した状態で一体に形成した図３に示す板状体６によって提供され、ユーザによって所定の部位を折り曲げて立体形状とした状態で用いられる。
【００２２】
給紙アダプタ１は、図４に示すようにパーソナルコンピュータと接続されて手軽な印刷システムを構成するプリンタ７に着脱されて用いられる。給紙アダプタ１は、詳細を後述するように、スライドガイド部材８をスライドガイド部９に沿ってスライド操作することによって相対する給紙機構のガイド側面１０との間に用紙サイズを特定する用紙スタック空間部１１を構成するプリンタ７の給紙部１２に着脱される。
【００２３】
給紙アダプタ１は、詳細にはプリンタ７が標準仕様として規定する最小幅の用紙をスタックする最小幅用紙スタック空間部１１Ｓに設定した状態で、この最小幅用紙スタック空間部１１Ｓ内に位置する給紙部１２の最外側用紙送りローラ１３と用紙先端検出センサ１４とに対向するようにして装着される。給紙アダプタ１は、最小幅用紙スタック空間部１１Ｓ内に最小幅用紙サイズよりも小幅の規定外用紙、例えば箸袋用紙１５をスタックする特殊小幅用紙スタック空間部１６を構成し、この特殊小幅用紙スタック空間部１６にスタックした箸袋用紙１５が最外側用紙送りローラ１３によって１枚ずつ印刷部へと連続して給紙されるようにする。
【００２４】
本体部２は、最小幅用紙スタック空間部１１Ｓとほぼ等しい幅寸法を有する略縦長矩形の平板部からなる。本体部２は、少なくとも一方主面が平滑面として構成され、後述するように特殊小幅用紙スタック空間部１６の底面部を構成する。本体部２は、幅方向の第１側縁１７が後述するように最小幅用紙スタック空間部１１Ｓを構成する位置に設定されたスライドガイド部材８のガイド側面８Ａに突き当てられる。本体部２は、幅方向に第１側縁１７と相対し基準ガイド立壁部４を挟む第１端部側の第２側縁１８Ａと第２端部側の第２側縁１８Ｂ（以下、個別に説明する場合を除いて第２側縁１８と総称する。）とが後述するようにプリンタ７側のガイド側面１０に突き当てられる。
【００２５】
本体部２は、ガイド側面１０に対して長さ方向に離間する一対の第２側縁１８が突き当たることによって、安定した姿勢で給紙部１２に装着される。なお、本体部２は、例えば主面上に商品名を表示するラベル等を貼り付けたり、給紙アダプタ１を販促品として供給する場合に提供者のステッカ等を貼り付けたりするようにしてもよい。
【００２６】
掛合部３は、本体部２の長さ方向の第１端部側に一体に形成されたフック状の部位からなる。掛合部３は、プリンタ７側のスライドガイド部９の断面形状に応じて本体部２の第１端部側の部位を適宜折曲して形成される。したがって、掛合部３も、最小幅用紙スタック空間部１１Ｓとほぼ等しい横幅を有して両側端部がスライドガイド部材８のガイド側面８Ａとガイド側面１０とに突き当てられることで、給紙アダプタ１が安定した状態で給紙部１２に装着されるようにする。
【００２７】
基準ガイド立壁部４は、本体部２の第２側縁１８から所定の位置で長さ方向に立設される所定枚数の箸袋用紙１５の厚みとほぼ等しい高さを有する立ち壁として形成される。基準ガイド立壁部４は、第１側縁１７に対して、箸袋用紙１５の幅とほぼ同一の対向間隔を以って平行に対峙するようにして一体に立設される。基準ガイド立壁部４は、後述するように給紙アダプタ１が給紙部１２に装着された状態において、スライドガイド部材８との間で本体部２上に多数枚の箸袋用紙１５を厚み方向にスタックする特殊小幅用紙スタック空間部１６の一方側面部を構成する。また、基準ガイド立壁部４は、特殊小幅用紙スタック空間部１６に用紙先端検出センサ１４を対向させる位置に形成される。
【００２８】
ガイド切欠き部５は、本体部２の掛合部３と対向する長さ方向の第２端部側において、この第２端部と第１側縁１７とに跨って略矩形状に切り欠かれて構成される。ガイド切欠き部５は、後述するように給紙アダプタ１が給紙部１２に装着された状態において、最外側用紙送りローラ１３を対向させる位置に形成される。なお、ガイド切欠き部５は、本体部２が第２端部側を最外側用紙送りローラ１３を越えて給紙部１２の奥深くまで嵌挿される長さで形成される場合に、最外側用紙送りローラ１３を臨ませる開口部として本体部２に形成するようにしてよい。
【００２９】
ガイド切欠き部５は、給紙アダプタ１が給紙部１２に装着された状態において、最外側用紙送りローラ１３を特殊小幅用紙スタック空間部１６に直接臨ませるように説明したがかかる構成に限定されるものでは無い。ガイド切欠き部５は、最外側用紙送りローラ１３と対向する本体部２の第２端部側に位置して形成されればよく、給紙アダプタ１が何らかの原因によってスライドガイド部９から脱落して給紙部１２内に落ち込んだ際に最外側用紙送りローラ１３への巻き込みを防止する作用も奏する。
【００３０】
以上のように構成される給紙アダプタ１は、図３に示した板状体６の各部を折り曲げて形成される。板状体６は、全体として略縦長矩形を呈しており、本体部２の対応部位の第１端部側に所定の間隔を以って互いに平行な幅方向の第１山折り線１９と第２山折り線２０とが予め設けられている。これら第１山折り線１９と第２山折り線２０は、例えば主面側に形成された断続な凹溝によって構成する。
【００３１】
板状体６は、ユーザがこれら第１山折り線１９と第２山折り線２０とに沿って連続して山折りすることによって、本体部２の第１端部側に幅方向の全域に亘って本体部２の裏面側にフック状に突出する掛合部３が形成されるようにする。板状体６は、上述した素材と第１山折り線１９と第２山折り線２０との構成によって、掛合部３のフック形状が保持される。なお、掛合部３は、第１山折り線１９と第２山折り線２０に沿って展開することによって、本体部２と同一面の板状に復元することが可能である。
【００３２】
板状体６には、図３に示すように第２側縁１８側に所定の幅を有して凸部２１が一体に突設されるとともに、この凸部２１の上端と下端とに、第２側縁１８に開放されて第１側縁１７に向かって所定の長さを有する一対の切り込み２２Ａ、２２Ｂが形成される。凸部２１は、上述した基準ガイド立壁部４の対応部位であり、各切り込み２２Ａ、２２Ｂの先端を結んで谷折り線２３が付される。切り込み２２Ａ、２２Ｂは、ガイド側面１０と用紙先端検出センサ１４との対向間隔よりも短い長さを有して形成される。谷折り線２３は、例えば裏面側に形成された断続な凹溝によって形成する。
【００３３】
板状体６は、ユーザが谷折り線２３に沿って凸部２１を主面側へと立ち上がらせるように谷折りすることによって、凸部２１を含む切り込み２２Ａ、２２Ｂ間の短冊状部位を第２側縁１８からこれら切り込み２２Ａ、２２Ｂの長さ分の位置において立ち上げて基準ガイド立壁部４を形成する。なお、板状体６は、特殊小幅用紙スタック空間部１６にスタック可能な箸袋用紙１５の枚数に応じて適宜の突出量を以って凸部２１が形成される。
【００３４】
板状体６は、第２側縁１８からの切り込み２２Ａ、２２Ｂの長さによって特殊小幅用紙スタック空間部１６の幅が規定されるようにする。板状体６は、例えば相対する切り込み２２Ａ、２２Ｂ間に複数条の谷折り線２３を形成して、特殊用紙の幅に応じて選択した谷折り線２３に沿って谷折りすることによって、幅を異にする特殊小幅用紙スタック空間部１６を構成することも可能である。
【００３５】
以上のように構成された給紙アダプタ１は、図４及び図５に示すようにスライドガイド部材８を最小幅用紙スタック空間部１１Ｓに設定したプリンタ７の給紙部１２に装着される。プリンタ７は、詳細を省略するが給紙部１２に横方向に一端側にガイド側面１０を構成してスライドガイド部９が設けられており、このスライドガイド部９にスライドガイド部材８がスライド自在に組み合わされている。プリンタ７は、上述したようにスライドガイド部材８をスライドガイド部９に沿って所定の位置にスライド操作することによって、相対するガイド側面１０との間に規定の用紙サイズを特定する用紙スタック空間部１１を構成する。
【００３６】
プリンタ７においては、スライドガイド部材８によって設定した規定用紙サイズの範囲で図示しない印字ヘッドの制御動作が行われて、所定幅及び所定長さの印刷が行われるようにする。また、プリンタ７には、詳細を省略するが給紙部１２に幅方向に並んで複数個の用紙送りローラが設けられており、用紙スタック空間部１１にストックされた用紙を１枚ずつ印刷部へと送り出す。プリンタ７においては、スライドガイド部材８を最小幅用紙スタック空間部１１Ｓに設定した状態でも、図５に示すように最外側送りローラ１３と用紙先端検出センサ１４とが最小幅用紙スタック空間部１１Ｓに臨むように配置される。
【００３７】
すなわち、プリンタ７は、スライドガイド部材８をガイド側面１０に対して所定の位置まで近づけるようにスライド操作すると、図示しないストッパ構造によってスライドガイド部材８が停止されて図５に示すようにガイド側面１０との間に標準仕様として規定する最小幅の用紙に対応した幅を有する最小幅用紙スタック空間部１１Ｓが構成されるようにする。プリンタ７においては、この状態でスライドガイド部材８が最外側用紙送りローラ１３に接近した位置に設定され、最外側用紙送りローラ１３のみが最小幅用紙スタック空間部１１Ｓに存在して用紙の送り出しを行う。プリンタ７においては、用紙先端検出センサ１４によってストックされた用紙の検出を行い、その検出信号に基づいて所定の頭出し動作が行われる。
【００３８】
プリンタ７には、最小幅用紙サイズよりも小幅の箸袋用紙１５に所定の印刷を行う場合に、給紙アダプタ１が装着される。給紙アダプタ１は、本体部２を最小幅用紙スタック空間部１１Ｓ内に位置させるようにして掛合部３がスライドガイド部９に掛け合わされる。給紙アダプタ１は、この状態で基準ガイド立壁部４が最小幅用紙スタック空間部１１Ｓを幅方向に区切り、スライドガイド部材８のガイド側面８Ａとの間の本体部２上に最小幅用紙サイズよりもさらに小幅の特殊小幅用紙スタック空間部１６を構成する。給紙アダプタ１は、この状態でガイド切欠き部５を介して特殊小幅用紙スタック空間部１６に最外側送りローラ１３と用紙先端検出センサ１４とを臨ませる。
【００３９】
プリンタ７には、特殊小幅用紙スタック空間部１６内に多数枚の箸袋用紙１５がスタックされる。プリンタ７は、特殊小幅用紙スタック空間部１６内においてスライドガイド部材８のガイド側面８Ａと基準ガイド立壁部４とによって箸袋用紙１５の両側縁を揃えるとともに、最下部にスタックされた箸袋用紙１５にガイド切欠き部５を介して特殊小幅用紙スタック空間部１６内に臨ませられた最外側送りローラ１３の外周部を圧接させる。プリンタ７は、用紙先端検出センサ１４からの検出信号に基づいて箸袋用紙１５の頭出し動作を行う。
【００４０】
プリンタ７は、印刷開始の指示によって最外側送りローラ１３が駆動されて、印刷部へと箸袋用紙１５の送り出しを行う。プリンタ７においては、箸袋用紙１５をスライドガイド部材８のガイド側面８Ａと給紙アダプタ１の基準ガイド立壁部４とによって両側縁を保持して安定した状態で印刷部へと送り込むことによって、腰が弱く幅狭で長尺の箸袋用紙１５に対して所定の印刷パターンを精密に印刷する。
【００４１】
したがって、給紙アダプタ１は、パーソナルコンピュータと接続して簡易な印刷システムを構成するプリンタ７に装着されることによって、規定外用紙サイズの箸袋用紙１５を安定した状態で自動給紙して所定の印刷が精密かつ効率的に行われるようにする。なお、給紙アダプタ１は、所定の印刷を終了した後に、掛合部３をスライドガイド部９から引き抜くことによってプリンタ７から簡単に取り外すことが可能である。
【００４２】
なお、上述した実施の形態においては、給紙アダプタ１の第１側縁１６にスライドガイド部材８の基準面８Ａを突き当てるようにしたが、第１側縁１６に対して基準面８Ａが多少の間隙を有するように位置させてスライドガイド部材８を設定して用いるようにしてもよいことは勿論である。給紙アダプタ１は、かかる使用例によってやや幅広の箸袋用紙１５に対しても所定の印刷パターンを印刷することを可能とする。
【００４３】
ところで、プリンタ７においては、一般に例えば名刺サイズやはがきサイズの最小幅用紙スタック空間部１１Ｓに設定して印刷を行う場合に、当該用紙サイズに対応した印刷範囲で印刷が行われる。したがって、プリンタ７は、長尺の箸袋１５に対して、その全長に亘って印刷パターンを印刷することができないといった問題が生じる。第２の実施の形態として図６乃至図８に示した給紙アダプタ３０は、スライドガイド部材８を箸袋１５に対してその長さ寸法の全域に亘って印刷パターンを印刷することが可能な基準用紙サイズ、例えば幅寸法が約１４８ｍｍ、長さ寸法が約２１０ｍｍのＡ５サイズ位置に設定した状態で用いられるようにする。
【００４４】
給紙アダプタ３０は、基本的な構成を上述した給紙アダプタ１と同様とし、基材として塩化ビニール樹脂等が用いられる。給紙アダプタ３０は、図６に示すように上述した給紙アダプタ１の本体部２と掛合部３と基準ガイド立壁部４とにそれぞれ対応する本体部３１と掛合部３２と第１基準ガイド立壁部３３とを備えている。給紙アダプタ３０は、本体部３１が例えば９０ｍｍ以上とされて上述した本体部２よりも幅広とされ、この本体部３１に第２基準ガイド立壁部３４を形成した構成に特徴を有している。なお、給紙アダプタ３０は、本体部３１の端部に上述した切欠き部５と同様の切欠き部を形成するようにしてもよい。
【００４５】
本体部３１は、Ａ５サイズ用紙スタック空間部１１Ａ５（図８参照）よりもやや小さい幅寸法を有する略縦長矩形の平板部からなり、少なくとも一方主面が平滑面とされて、後述するように特殊小幅用紙スタック空間部１６の底面部を構成する。本体部３１は、幅方向の第１側縁３５が後述するようにＡ５サイズ用紙スタック空間部１１Ａ５を構成する位置に設定されたスライドガイド部材８のガイド側面８Ａに突き当てられ、或いは近接して対向する。本体部３１は、幅方向に第１側縁３５と相対し第１基準ガイド立壁部３３を挟む第１端部側の第２側縁３６Ａと第２端部側の第２側縁３６Ｂ（以下、個別に説明する場合を除いて第２側縁３６と総称する。）とがプリンタ７側のガイド側面１０に突き当てられる。本体部３１も、ガイド側面１０に対して長さ方向に離間する一対の第２側縁３６が突き当たることによって、安定した姿勢で給紙部１２に装着される。なお、本体部３１にも、例えば主面上に商品名を表示するラベル等を貼り付けたり、給紙アダプタ３０を販促品として供給する場合に提供者のステッカ等を貼り付けたりするようにしてもよい。
【００４６】
掛合部３２は、本体部３１の長さ方向の第１端部側に一体に形成された一対のフック状部位からなり、プリンタ７側のスライドガイド部９の断面形状に応じて本体部３１の第１端部側の両側部位に形成された短冊状部位をそれぞれ折曲して形成された第１掛合部３２Ａと第２掛合部３２Ｂ（以下、個別に説明する場合を除いて掛合部３２と総称する。）とからなる。掛合部３２は、本体部３１が幅広とされることから、上述した給紙アダプタ１の掛合部３のように一体とした場合に全長に亘って折り曲げる際にやや大きな力が必要となる。掛合部３２は、図６に示すように切り欠き部４９を介して本体部３１の第１端部側に、長さ方向の両側に位置して対向する一対の掛合部３２Ａ、３２Ｂによって構成することにより、それぞれを容易に折り曲げることが可能である。
【００４７】
掛合部３２も、全体としてＡ５サイズ用紙スタック空間部１１Ａ５とほぼ等しい横幅を有し、第１掛合部３２Ａと第２掛合部３２Ｂの側端部が相対するスライドガイド部材８のガイド側面８Ａとガイド側面１０とにそれぞれ突き当てられることで、給紙アダプタ３０が安定した状態で給紙部１２に装着されるようにする。なお、掛合部３２は、本体部３１がさらに大きな横幅を有する場合に、複数個に分割して構成するようにしてもよいことは勿論である。
【００４８】
第１基準ガイド立壁部３３も、本体部３１の第２側縁３６から所定の位置で長さ方向に立設される所定枚数の箸袋用紙１５の厚みとほぼ等しい高さを有する立ち壁として形成される。第１基準ガイド立壁部３３は、後述する第２基準ガイド立壁部３４と箸袋用紙１５の幅とほぼ同一の対向間隔を以って平行に対峙するようにして一体に立設される。第１基準ガイド立壁部３３は、後述するように給紙アダプタ３０が給紙部１２に装着された状態において、本体部３１上に多数枚の箸袋用紙１５を厚み方向にスタックする特殊小幅用紙スタック空間部１６の一方側面部を構成する。また、第１基準ガイド立壁部３３は、特殊小幅用紙スタック空間部１６に用紙先端検出センサ１４を対向させる位置に形成される。
【００４９】
第２基準ガイド立壁部３４は、本体部３１の第１側縁３５から所定の位置で長さ方向に立設される所定枚数の箸袋用紙１５の厚みとほぼ等しい高さを有する立ち壁として形成される。第２基準ガイド立壁部３４は、第１基準ガイド立壁部３３と平行に対峙して給紙アダプタ３０が給紙部１２に装着された状態において、本体部３１上に多数枚の箸袋用紙１５を厚み方向にスタックする特殊小幅用紙スタック空間部１６の他方側面部を構成する。第２基準ガイド立壁部３４は、特殊小幅用紙スタック空間部１６に最外側送りローラ１３を対向させる位置に形成される。
【００５０】
以上のように構成される給紙アダプタ３０は、図７に示した板状体３７の各部を折り曲げて形成される。板状体３７も、全体として略縦長矩形を呈しており、本体部３１の対応部位の第１端部側に切り欠き部４９を形成することによって幅方向に対向する一対の短冊状部位を形成し、これら短冊状部位を折り曲げて掛合部３２が構成されるようにする。板状体３７には、これら短冊状部位に所定の間隔を以って互いに平行な幅方向の第１山折り線３８と第２山折り線３９とが予め設けられている。これら第１山折り線３８と第２山折り線３９も、主面側に形成された断続な凹溝によって構成する。
【００５１】
板状体３７は、ユーザがこれら第１山折り線３８と第２山折り線３９とに沿って連続して山折りすることによって、本体部３１の第１端部側に切り欠き部４９を介して長さ方向に離間し本体部３１の裏面側にフック状に突出する第１掛合部３２Ａと第２掛合部３２Ｂとからなる掛合部３２が形成されるようにする。板状体３７は、上述した素材と第１山折り線３８と第２山折り線３９との構成により、掛合部３２のフック形状が保持される。なお、各掛合部３２も、第１山折り線３８と第２山折り線３９に沿って展開することによって本体部３１と同一面の板状に復元することが可能である。
【００５２】
板状体３７は、切り欠き部４９を介して本体部３１の第１端部側に長さ方向に離間して一対の短冊状の部位を形成し、これら部位に折り曲げ処理を施して第１掛合部３２Ａと第２掛合部３２Ｂとを形成することで比較的軽微な折り曲げ力で全域に亘って折り曲げが行われて精度のよい掛合部３２を形成することが可能である。なお、板状体３７は、複数の切り欠き部４９を形成して複数個の短冊状部位を形成するようにしてもよい。
【００５３】
板状体３７には、図７に示すように第２側縁３６側に所定の幅を有して凸部４０が一体に突設されるとともに、この凸部４０の上端と下端とに、第２側縁３６に開放されて第１側縁３５側に向かって所定の長さを有する一対の第１切り込み４１と第２切り込み４２とが形成される。凸部４０は、上述した第１基準ガイド立壁部３３の対応部位であり、第１切り込み４１と第２切り込み４２との先端を結んで第１谷折り線４３が付される。第１切り込み４１と第２切り込み４２も、ガイド側面１０と用紙先端検出センサ１４との対向間隔よりも短い長さを有して形成される。第１谷折り線４３も、本体部３１の裏面側に形成された断続な凹溝によって形成する。
【００５４】
板状体３７は、ユーザが第１谷折り線４３に沿って凸部４０を主面側へと立ち上がらせるように谷折りすることによって、凸部４０を含む第１切り込み４１と第２切り込み４２との間の短冊状部位を第２側縁３６からこれら第１切り込み４１と第２切り込み４２の長さ分の位置において立ち上げて第１基準ガイド立壁部３３を形成する。なお、板状体３７は、特殊小幅用紙スタック空間部１６にスタック可能な箸袋用紙１５の枚数に応じて適宜の突出量を以って凸部４０を形成する。
【００５５】
板状体３７には、本体部３１の第１側縁３５から所定位置に長さ方向の第３切り込み４４と、この第３切り込み４４の両端から幅方向に第４切り込み４５と第５切り込み４６とが形成される。板状体３７は、これら第３切り込み４４乃至第５切り込み４６によって本体部３１にコ字状部位４７を形成し、このコ字状部位４７が上述した第２基準ガイド立壁部３４の対応部位を構成する。第３切り込み４４は、第１側縁３５と平行であり、第１基準ガイド立壁部３３に対して特殊小幅用紙スタック空間部１６の幅寸法よりも大きな対向間隔に位置してほぼ同一の長さを以って形成される。
【００５６】
第４切り込み４５と第５切り込み４６は、第３切り込み４４の両端から第２側縁３６側に向かって互いに平行に形成される。第４切り込み４５と第５切り込み４６は、それぞれ第１基準ガイド立壁部３３に対して特殊小幅用紙スタック空間部１６の幅寸法とほぼ同一長さを以って形成される。板状体３７には、第４切り込み４５と第５切り込み４６との先端を結んで第２谷折り線４８が付される。第２谷折り線４８も、本体部３１の裏面側に形成された断続な凹溝によって形成する。
【００５７】
板状体３７は、ユーザが第２谷折り線４８に沿って第４切り込み４５と第５切り込み４６の長さ分の位置においてコ字状部位４７を主面側へと立ち上がらせるように谷折りすることによって、第２基準ガイド立壁部３４を形成する。第２基準ガイド立壁部３４は、上述したように第１基準ガイド立壁部３３と特殊小幅用紙スタック空間部１６の幅寸法とほぼ等しい対向間隔を以って平行に対峙する。
【００５８】
以上のように構成された給紙アダプタ３０は、図８に示すようにスライドガイド部材８をＡ５サイズ用紙スタック空間部１１Ａ５に設定したプリンタ７の給紙部１２に対して装着される。プリンタ７は、Ａ５サイズ用紙スタック空間部１１Ａ５にスタックされた用紙に対してＡ５サイズの幅寸法と長さ寸法の範囲で印刷を行うことが可能である。プリンタ７には、Ａ５サイズ用紙スタック空間部１１Ａ５内に位置させるようにして、給紙アダプタ３０が掛合部３２をスライドガイド部９に掛け合わせて装着される。
【００５９】
給紙アダプタ３０は、この状態で第１基準ガイド立壁部３３と第２基準ガイド立壁部３４とがＡ５サイズ用紙スタック空間部１１Ａ５を幅方向に区切り、これら第１基準ガイド立壁部３３と第２基準ガイド立壁部３４との間にＡ５サイズ用紙よりも小幅の特殊小幅用紙スタック空間部１６を構成する。給紙アダプタ３０は、この状態で図８に示すように特殊小幅用紙スタック空間部１６に最外側送りローラ１３と用紙先端検出センサ１４とを臨ませるとともに、特殊小幅用紙スタック空間部１６内に多数枚の箸袋用紙１５をスタックする。給紙アダプタ３０は、特殊小幅用紙スタック空間部１６内において第１基準ガイド立壁部３３と第２基準ガイド立壁部３４とによって箸袋用紙１５の両側縁を揃える。
【００６０】
プリンタ７は、特殊小幅用紙スタック空間部１６にスタックされた箸袋用紙１５について、最下部の箸袋用紙１５を最外側送りローラ１３の外周部を圧接させ、用紙先端検出センサ１４からの検出信号に基づいて箸袋用紙１５の頭出し動作を行う。プリンタ７は、印刷開始の指示によって最外側送りローラ１３が駆動されて、印刷部へと箸袋用紙１５の送り出しを行う。プリンタ７においては、箸袋用紙１５が給紙アダプタ３０によって両側縁が保持されて安定した状態で印刷部へと送り込まれることによって、腰が弱く幅狭で長尺の箸袋用紙１５に対して所定の印刷パターンを精密に印刷する。
【００６１】
プリンタ７においては、上述したようにスライドガイド部材８がＡ５サイズ用紙スタック空間部１１Ａ５に設定されることによって、長さ方向に対して約２１０ｍｍの領域に印刷を可能とする。したがって、プリンタ７においては、上述した給紙アダプタ３０を用いて構成した特殊小幅用紙スタック空間部１６にスタックされた箸袋用紙１５に対して、長さ方向の全域に亘って所定の印刷パターンを精密に印刷することを可能とする。ユーザは、上述した簡易な印刷システムによって、箸袋用紙１５のほぼ全面を利用して独自の意匠を凝らした印刷パターンを印刷することが可能となる。
【００６２】
ところで、箸袋用紙１５としては、一般に幅寸法が３７ｍｍ、４３ｍｍ及び４８ｍｍの３種類が汎用用紙として提供されている。第３の実施の形態として図９乃至図１３に示した給紙アダプタ５０は、異なる幅寸法を有する箸袋用紙１５にも共用され、特殊小幅用紙スタック空間部１６にスタックした箸袋用紙１５が安定した状態でプリンタ７の印刷部へと給紙されて精密な印刷が行われるようにする。給紙アダプタ５０も、スライドガイド部材８を箸袋１５に対してその長さ寸法の全域に亘って印刷パターンを印刷することが可能なＡ５サイズ用紙スタック空間部１１Ａ５に設定した状態で用いられるようにする。
【００６３】
給紙アダプタ５０は、それぞれ基材として塩化ビニール樹脂等が用いられ、基本的な構成を上述した給紙アダプタ３０と同様とする本体部材５１と、この本体部材５１にスライド自在に組み合わされるアジャスタ部材５２との２部材によって構成される。給紙アダプタ５０は、後述するように本体部材５１に対してアジャスタ部材５２を適宜の位置にスライド操作することによって、上述した異なる幅サイズを有する複数種の箸袋用紙１５に対応して特殊小幅用紙スタック空間部１６の幅寸法が適宜調整される。
【００６４】
本体部材５１は、図９及び図１０に示すように、給紙アダプタ３０の本体部３１と掛合部３２と第１基準ガイド立壁部３３とにそれぞれ対応する本体部５３と掛合部５４と第１基準ガイド立壁部５５とを備えている。本体部材５１には、本体部５３に一対の第１ガイドスリット５６と第２ガイドスリット５７が形成されている。本体部材５１は、本体部５３が例えば１００ｍｍ以上とされ、上述した給紙アダプタ３０の本体部３１よりも幅広とされる。なお、給紙アダプタ５０は、本体部５３の端部に上述した切欠き部５と同様の切欠き部を形成するようにしてもよい。
【００６５】
本体部５３は、Ａ５サイズ用紙スタック空間部１１Ａ５よりもやや小さい幅寸法を有する略縦長矩形の平板部からなり、少なくとも一方主面が平滑面とされて、後述するように特殊小幅用紙スタック空間部１６の底面部を構成する。本体部５３は、幅方向の第１側縁５８がＡ５サイズ用紙スタック空間部１１Ａ５を構成する位置に設定されたスライドガイド部材８のガイド側面８Ａに突き当てられ、或いは近接して対向する。本体部５３は、幅方向に第１側縁５８と相対し第１基準ガイド立壁部５５を挟む第１端部側の第２側縁５９Ａと第２端部側の第２側縁５９Ｂ（以下、個別に説明する場合を除いて第２側縁５９と総称する。）とがプリンタ７側のガイド側面１０に突き当てられる。本体部材５１は、ガイド側面１０に対して長さ方向に離間する一対の第２側縁５９が突き当たることによって、本体部５３が安定した姿勢で給紙部１２に装着される。なお、本体部５３にも、例えば主面上に商品名を表示するラベル等を貼り付けたり、給紙アダプタ５０を販促品として供給する場合に提供者のステッカ等を貼り付けたりするようにしてもよい。
【００６６】
掛合部５４も、本体部５３が幅広とされることから、その長さ方向の第１端部側に一体に形成された一対のフック状部位からなり、プリンタ７側のスライドガイド部９の断面形状に応じて本体部５３の第１端部側の部位を適宜折曲して形成される。掛合部５４は、図９に示すように切り欠き部８０を介して本体部２の長さ方向の両側に位置して対向する一対の第１掛合部５４Ａと第２掛合部５４Ｂ（以下、個別に説明する場合を除いて掛合部５４と総称する。）によって構成することにより、それぞれを容易に折り曲げることが可能である。
【００６７】
掛合部５４は、プリンタ７側のスライドガイド部９の断面形状に応じて本体部５３の第１端部側に長さ方向に離間して形成された短冊状部位を適宜折曲して第１掛合部５４Ａと第２掛合部５４Ｂとが形成される。したがって、掛合部５４も、Ａ５サイズ用紙スタック空間部１１Ａ５とほぼ等しい横幅を有して第１掛合部５４Ａと第２掛合部５４Ｂの側端部がスライドガイド部材８のガイド側面８Ａとガイド側面１０とに突き当てられることで、給紙アダプタ５０が安定した状態で給紙部１２に装着されるようにする。なお、掛合部５４も、複数個の切り欠き部８０によって切り分けた複数個の短冊状部位を折曲して形成するようにしてもよいことは勿論である。
【００６８】
第１基準ガイド立壁部５５も、本体部５３の第２側縁５９から所定の位置で長さ方向に立設される所定枚数の箸袋用紙１５の厚みとほぼ等しい高さを有する立ち壁として形成される。第１基準ガイド立壁部５５は、後述するアジャスタ部材５２に形成された第２基準ガイド立壁部６１と箸袋用紙１５の幅とほぼ同一の対向間隔を以って平行に対峙するようにして一体に立設される。第１基準ガイド立壁部５５は、後述するように給紙アダプタ５０が給紙部１２に装着された状態において、本体部５３上に多数枚の箸袋用紙１５を厚み方向にスタックする特殊小幅用紙スタック空間部１６の一方側面部を構成する。また、第１基準ガイド立壁部５５は、特殊小幅用紙スタック空間部１６に用紙先端検出センサ１４を対向させる位置に形成される。
【００６９】
第１ガイドスリット５６及び第２ガイドスリット５７は、本体部５３の第１側縁５８と第１基準ガイド立壁部５５との間に位置し、長さ方向に離間して互いに平行に形成された幅方向の一対のスリットからなる。第１ガイドスリット５６及び第２ガイドスリット５７は、それぞれ第１基準ガイド立壁部５５から上述した箸袋用紙１５の最小寸法値３７ｍｍとほぼ同等の位置を一端として、第１側縁５８側に向かって箸袋用紙１５の最大寸法値４８ｍｍとほぼ同等の長さ寸法を以って形成される。
【００７０】
アジャスタ部材５２は、図９及び図１０に示すように、矩形状の基部６０と、第２基準ガイド立壁部６１と、振れ止め立壁部６２とから構成される。基部６０は、上述した第１ガイドスリット５６及び第２ガイドスリット５７との間隔よりも長尺とされた縦長矩形状に形成され、長さ方向の一端部が第１ガイドスリット５６に差し込まれる第１嵌合部６３を構成するとともに他端部が第２ガイドスリット５７に差し込まれる第２嵌合部６４を構成する。第１嵌合部６３及び第２嵌合部６４は、先端側に向かって次第に幅狭となるようにして形成される。
【００７１】
第２基準ガイド立壁部６１は、基部６０の第１基準ガイド立壁部５５と対向する第１側縁６５に、第１基準ガイド立壁部５５とほぼ同等の高さ寸法を有する立ち壁として形成される。第２基準ガイド立壁部６１は、第１基準ガイド立壁部５５と平行に対峙して給紙アダプタ５０が給紙部１２に装着された状態において、本体部５３上に多数枚の箸袋用紙１５を厚み方向にスタックする特殊小幅用紙スタック空間部１６の他方側面部を構成する。
【００７２】
第２基準ガイド立壁部６１は、長さ方向の一端側において第１嵌合部６３を長さ方向に突出させるとともに、他端側が第２嵌合部６４よりも延長して形成される。なお、第２基準ガイド立壁部３４は、後述するようにアジャスタ部材５２が本体部材５１に対してスライド操作されて特殊小幅用紙スタック空間部１６の幅寸法を調整されるが、いずれの位置でも最外側送りローラ１３を特殊小幅用紙スタック空間部１６と対向させる位置に形成される。
【００７３】
振れ止め立壁部６２は、基部６０の本体部５３の第１側縁５８と対向する第２側縁６６に、基部６０を挟んで第２基準ガイド立壁部６１と対峙する立ち壁として形成される。振れ止め立壁部６２は、上述した本体部５３の第１ガイドスリット５６と第２ガイドスリット５７との間隔とほぼ等しい長さを有しており、長さ方向の両端において第１嵌合部６３と第２嵌合部６４をそれぞれ突出させる。振れ止め立壁部６２は、第２基準ガイド立壁部６１とともに基部６０の両側縁に直立する立壁部を構成することで、アジャスタ部材５２の機械的剛性を向上させる。
【００７４】
以上のように構成されたアジャスタ部材５２は、図９及び図１０に示すように、本体部５３の主面側から、第１嵌合部６３を第１ガイドスリット５６に差し込むとともに第２嵌合部６４を第２ガイドスリット５７に差し込むことによって本体部材５１に組み合わされる。アジャスタ部材５２は、この状態で第２基準ガイド立壁部６１の一端部と第２嵌合部６４とが第２ガイドスリット５７の開口縁を挟み込むことによって本体部材５１からの脱落が防止される。また、アジャスタ部材５２は、図９に示すように振れ止め立壁部６２が両端部を相対する第１ガイドスリット５６と第２ガイドスリット５７の開口縁にそれぞれ突き当たることによって振れ止めされる。
【００７５】
給紙アダプタ５０は、本体部材５１が図１１に示した第１板状体６７の各部を折り曲げて形成される。第１板状体６７も、全体として略縦長矩形を呈しており、本体部５３の対応部位の第１端部側に切り欠き部８０を形成することによって幅方向に対向する一対の短冊状部位を形成し、これら短冊状部位を折り曲げて掛合部５４が構成されるようにする。第１板状体６７には、これら短冊状部位にそれぞれ所定の間隔を以って互いに平行な幅方向の第１山折り線６８と第２山折り線６９とが予め設けられている。これら第１山折り線６８と第２山折り線６９も、主面側に形成された断続な凹溝によって構成する。
【００７６】
第１板状体６７は、ユーザがこれら第１山折り線６８と第２山折り線６９とに沿って連続して山折りすることによって、本体部５３の第１端部側に幅方向の全域に亘って本体部５３の裏面側にフック状に突出する第１掛合部５４Ａと第２掛合部５４Ｂとからなる掛合部５４が形成されるようにする。第１板状体６７は、上述した素材と第１山折り線６８と第２山折り線６９との構成により、掛合部５４のフック形状が保持される。なお、掛合部５４も、第１山折り線６８と第２山折り線６９に沿って展開することによって、本体部５３と同一面の板状に復元することが可能である。
【００７７】
第１板状体６７には、図１１に示すように第２側縁６６側に所定の幅を有して凸部７０が一体に突設されるとともに、この凸部７０の上端と下端とに、第２側縁６６に開放されて第１側縁６５側に向かって所定の長さを有する一対の第１切り込み７１と第２切り込み７２とが形成される。凸部７０は、上述した第１基準ガイド立壁部５５の対応部位であり、第１切り込み７１と第２切り込み７２との先端を結んで第１谷折り線７３が付される。第１切り込み７１と第２切り込み７２も、ガイド側面１０と用紙先端検出センサ１４との対向間隔よりも短い長さを有して形成される。第１谷折り線７３も、本体部５３の裏面側に形成された断続な凹溝によって形成する。
【００７８】
第１板状体６７は、ユーザが第１谷折り線７３に沿って凸部７０を主面側へと立ち上がらせるように谷折りすることによって、凸部７０を含む第１切り込み７１と第２切り込み７２との間の短冊状部位を第２側縁６６からこれら第１切り込み７１と第２切り込み７２の長さ分の位置において立ち上げて第１基準ガイド立壁部５５を形成する。なお、第１板状体６７は、特殊小幅用紙スタック空間部１６にスタック可能な箸袋用紙１５の枚数に応じて適宜の突出量を以って凸部７０を形成する。
【００７９】
給紙アダプタ５０は、アジャスタ部材５２が、図１２に示した第２板状体７４の各部を折り曲げることによって図１３に示す立体形状に形成される。第２板状体７４は、上述したように第１ガイドスリット５６と第２ガイドスリット５７の対向間隔よりも長尺とされた縦長矩形の基部７０の対応部位の第１側縁６５側に第２基準ガイド立ち壁部６１を構成する第１凸部７５を一体に連設するとともに、第２側縁６６側に振れ止め立壁部６２を構成する第２凸部７６を一体に連設してなる。
【００８０】
第２板状体７４は、基部７０の対応部位が第１凸部７５の長さ方向の一端側において突出されることによって第１嵌合部６３を構成する。第２板状体７４は、基部７０の対応部位が、長さ方向の他端側において第１嵌合部６３とほぼ同一長さ位置まで第１凸部７５と区分する切り込み７７が形成され、第２嵌合部６４を構成する。第２板状体７４には、第１嵌合部６３と第２嵌合部６４との間に、基部７０の対応部位と第１凸部７５とを区分するようにして第１谷折り線７８が形成される。第１谷折り線７８も、裏面側に形成された断続な凹溝によって形成する。
【００８１】
第２板状体７４は、第２凸部７６が第２側縁６６側において第１嵌合部６３と第２嵌合部６４との間に突出する長さを以って形成される。第２板状体７４には、基部７０の対応部位と第２凸部７６とを区分するようにして第２谷折り線７９が形成される。第１谷折り線７８も、裏面側に形成された断続な凹溝によって形成する。
【００８２】
第２板状体７４は、ユーザが第１谷折り線７８に沿って第１凸部７５を主面側へと立ち上がらせるように谷折りすることによって、基部６０の第１側縁６５に沿って立ち上がる第２基準ガイド立壁部６１を形成する。第２板状体７４は、同様にして第２谷折り線７９に沿って第２凸部７６を主面側へと立ち上がらせるように谷折りすることによって、基部６０の第２側縁６６に沿って立ち上がる振れ止め立壁部６２を形成する。
【００８３】
第２板状体７４は、上述した折り曲げ操作が施されることによって、図１３に示したアジャスタ部材５２を形成する。アジャスタ部材５２は、上述したように基部６０の相対する第１側縁６５と第２側縁６６とに沿って、互いに対峙する第２基準ガイド立壁部６１と振れ止め立壁部６２とが立設される。アジャスタ部材５２は、振れ止め立壁部６２の長さ方向の両端と対向位置から、基部６０の両端部に第１嵌合部６３と第２嵌合部６４とが形成される。アジャスタ部材５２は、上述したように第１嵌合部６３と第２嵌合部６４を相対する第１ガイドスリット５６と第２ガイドスリット５７とに差し込むことによって、本体部材５１に組み付けられて給紙アダプタ５０を構成する。
【００８４】
以上のように構成された給紙アダプタ５０も、図示を省略するがスライドガイド部材８をＡ５サイズ用紙スタック空間部１１Ａ５に設定したプリンタ７の給紙部１２に装着される。給紙アダプタ５０は、Ａ５サイズ用紙スタック空間部１１Ａ５内に位置させて本体部材５１の掛合部５４をスライドガイド部９に掛け合わせて装着される。
【００８５】
給紙アダプタ５０は、この状態で第１基準ガイド立壁部５５と第２基準ガイド立壁部６１とがＡ５サイズ用紙スタック空間部１１Ａ５を幅方向に区切り、これら第１基準ガイド立壁部５５と第２基準ガイド立壁部６１との間にＡ５サイズ用紙よりも小幅の特殊小幅用紙スタック空間部１６を構成する。給紙アダプタ５０においても、特殊小幅用紙スタック空間部１６に最外側送りローラ１３と用紙先端検出センサ１４とを臨ませる。
【００８６】
給紙アダプタ５０は、上述したように本体部材５１の第１基準ガイド立壁部５５とアジャスタ部材５２の第２基準ガイド立壁部６１との間において特殊小幅用紙スタック空間部１６を構成する。給紙アダプタ５０は、本体部材５１に対してアジャスタ部材５２が第１ガイドスリット５６と第２ガイドスリット５７とに沿ってスライド操作が自在に組み合わされており、これら第１ガイドスリット５６と第２ガイドスリット５７の長さ範囲で特殊小幅用紙スタック空間部１６の幅寸法を調整することが可能である。
【００８７】
したがって、給紙アダプタ５０は、幅寸法が３７ｍｍ、４３ｍｍ或いは４８ｍｍの３種類の箸袋用紙１５に合わせて本体部材５１に対してアジャスタ部材５２をスライド操作して、所定の幅寸法を有する特殊小幅用紙スタック空間部１６を構成する。給紙アダプタ５０は、所定幅に設定した特殊小幅用紙スタック空間部１６内に多数枚の箸袋用紙１５をスタックする。給紙アダプタ５０は、特殊小幅用紙スタック空間部１６内において、第１基準ガイド立壁部５５と第２基準ガイド立壁部６１とによってスタックした箸袋用紙１５の両側縁を揃える。
【００８８】
プリンタ７は、特殊小幅用紙スタック空間部１６にスタックされた箸袋用紙１５について、最下部の箸袋用紙１５を最外側送りローラ１３の外周部を圧接させ、用紙先端検出センサ１４からの検出信号に基づいて箸袋用紙１５の頭出し動作を行う。プリンタ７は、印刷開始の指示によって最外側送りローラ１３が駆動されて、印刷部へと箸袋用紙１５の送り出しを行う。プリンタ７においては、箸袋用紙１５が給紙アダプタ５０によって両側縁が保持されて安定した状態で印刷部へと送り込まれることによって、腰が弱く幅狭で長尺の箸袋用紙１５に対して所定の印刷パターンを精密に印刷する。
【００８９】
プリンタ７においては、上述したようにスライドガイド部材８がＡ５サイズ用紙スタック空間部１１Ａ５に設定されることによって、長さ方向に対して約２１０ｍｍの領域に印刷を可能とする。したがって、プリンタ７においては、上述した給紙アダプタ５０を用いて構成した特殊小幅用紙スタック空間部１６にスタックされた箸袋用紙１５に対して、長さ方向の全域に亘って所定の印刷パターンを精密に印刷することを可能とする。給紙アダプタ５０は、一般に提供されている複数種の箸袋用紙１５に対して、共用される。ユーザは、上述した簡易な印刷システムによって、箸袋用紙１５のほぼ全面を利用して独自の意匠を凝らした印刷パターンを印刷することが可能となる。
【００９０】
なお、上述した各実施の形態においては、パーソナルコンピュータとプリンタ７等によって構成される簡易な印刷システムにより箸袋用紙１５に適宜の印刷パターンを印刷する際に用いられる給紙アダプタについて説明したが、本発明はかかる使用例に限定されるものでは無いことは勿論である。給紙アダプタは、箸袋用紙１５の印刷ばかりでなく、小幅で長尺な各種の用紙に対して、印刷を行うことを可能とする。また、給紙アダプタは、上述した各部の構造に限定されるものでは無いことは勿論である。
【図面の簡単な説明】
【００９１】
【図１】第１の実施の形態として示す給紙アダプタの平面図である。
【図２】同給紙アダプタの側面図である。
【図３】同給紙アダプタを形成する板状体の平面図である。
【図４】同給紙アダプタをプリンタに装着する使用状態の分解斜視図である。
【図５】同給紙アダプタをプリンタの給紙部に装着した状態の要部平面図である。
【図６】第２の実施の形態として示す給紙アダプタの平面図である。
【図７】同給紙アダプタを形成する板状体の平面図である。
【図８】同給紙アダプタをプリンタの給紙部に装着した状態の要部平面図である。
【図９】第３の実施の形態として示す給紙アダプタの平面図である。
【図１０】同給紙アダプタの側面図である。
【図１１】同給紙アダプタの本体部材を形成する板状体の平面図である。
【図１２】同給紙アダプタのアジャスタ部材を形成する板状体の平面図である。
【図１３】アジャスタ部材の平面図である。
【図１４】箸袋の斜視図である。
【符号の説明】
【００９２】
１  給紙アダプタ、２  本体部、３  掛合部、４  基準ガイド立壁部、５  ガイド切欠き部、６  板状体、７  プリンタ、８  スライドガイド部材、９  スライドガイド部、１０  ガイド側面、１１  用紙スタック空間部、１１Ｓ  最小幅用紙スタック空間部、１２  給紙部、１３  最外側送りローラ、１４  用紙先端検出センサ、１５  箸袋用紙、１６  特殊小幅用紙スタック空間部、１９  第１山折り線、２０  第２山折り線、２２  切り込み、２３  谷折り線、３０  給紙アダプタ、３１  本体部、３２  掛合部、３３  第１基準ガイド立壁部、３４  第２基準ガイド立壁部、３７  板状体、３８  第１山折り線、３９  第２山折り線、４１  第１切り込み、４２  第２切り込み、４３  第１谷折り線、４４  第３切り込み、４５  第４切り込み、４６  第５切り込み、４８  第２谷折り線、４９  切り欠き部、５０  給紙アダプタ、５１  本体部材、５２  アジャスタ部材、５３  本体部、５４  掛合部、５５  第１基準ガイド立壁部、５６  第１ガイドスリット、５７  第２ガイドスリット、６０  基部、６１  第２基準ガイド立壁部、６２  振れ止め立壁部、６３  第１嵌合部、６４  第２嵌合部、６７  第１板状体、７４  第２板状体、８０  切り欠き部
【図１】
2005272150.tif 000003
【図２】
2005272150.tif 000004
【図３】
2005272150.tif 000005
【図４】
2005272150.tif 000006
【図５】
2005272150.tif 000007
【図６】
2005272150.tif 000008
【図７】
2005272150.tif 000009
【図８】
2005272150.tif 000010
【図９】
2005272150.tif 000011
【図１０】
2005272150.tif 000012
【図１１】
2005272150.tif 000013
【図１２】
2005272150.tif 000014
【図１３】
2005272150.tif 000015
【図１４】
2005272150.tif 000016